(57)【要約】【課題】緩やかな循環水流を生成しやすくして浮遊生物の浮遊性および安全性を確保し、浮遊生物を観賞しやすく、浮遊生物の生存期間を長期化しやすい水槽を提供する。【解決手段】水槽１は、第１壁板４、第３壁板６、および第４壁板７に隣接して底板３に沿って配置され、底板３に沿って第２壁板５に向う底側水流ＦＬを生じる水流生成部１１と、底板３に沿って水流生成部１１に対して第２壁板５の側に配置され、底側水流ＦＬと交差して底板３の裏側へ排出される排出水流ＦＥを生じる排水部２０と、水流生成部１１の上面１１ｓ、第３壁板６、第４壁板７、および第１壁板４に隣接して配置され、水面ＷＦの方から流れてくる下降水流ＦＤから回帰水流ＦＲを生じる第１傾斜部８と、を備える。【選択図】図２
2018038374.tif 000002
【特許請求の範囲】
【請求項１】
底板と、前記底板に対して垂直に連結された第１壁板と、前記底板に対して垂直に連結され前記第１壁板から離れて向き合う第２壁板と、前記底板に対して垂直に連結され前記第１壁板及び前記第２壁板を連結する第３壁板と、前記底板に対して垂直に連結され前記第１壁板及び前記第２壁板を連結して前記第３壁板から離れて向き合う第４壁板と、を備える水槽であって、
前記第１壁板、前記第３壁板、および前記第４壁板に隣接して前記底板に沿って配置され、前記底板に沿って前記第２壁板に向う底側水流を生じる水流生成部と、
前記底板に沿って前記水流生成部に対して前記第２壁板の側に配置され、前記底側水流と交差して前記底板の裏側へ排出される排出水流を生じる排水部と、
前記水流生成部の上面、前記第３壁板、前記第４壁板、および前記第１壁板に隣接して配置され、水面の方から流れてくる下降水流を前記第２壁板に向けて前記底側水流に沿う回帰水流を生じる第１傾斜部と、を備え、
前記水流生成部は、前記排水部を経て再生された再生水を前記裏側から導入して貯留する貯留室と、前記第３壁板および前記第４壁板と垂直に配置され、前記貯留室の水を吐出して前記底側水流を生じる複数の吐出口が配置された吐出部と、を有し、
前記排水部は、前記底板と交差する方向に前記排出水流を生じる排水口が網目状に配置された多孔板と、前記多孔板を通過した水をろ過するフィルターマットと、を有すること
を特徴とする水槽。
【請求項２】
請求項１に記載の水槽であって、
前記底板、前記第２壁板、前記第３壁板、および前記第４壁板に隣接して配置され、前記底側水流および前記回帰水流を前記水面の方に向けて上昇水流を生じる第２傾斜部を備えること
を特徴とする。
【請求項３】
請求項２に記載の水槽であって、
前記第１傾斜部の前記底板に対する傾斜角と、前記第２傾斜部の前記底板に対する傾斜角とは等しいこと
を特徴とする。
【請求項４】
請求項１から請求項３までのいずれか一つに記載の水槽であって、
前記貯留室は、前記第３壁板と前記第４壁板との間を長さ方向とする直方体であること
を特徴とする。
【請求項５】
請求項１から請求項４までのいずれか一つに記載の水槽であって、
前記排水部は、前記底板が有する凹部に配置されていること
を特徴とする。
【請求項６】
請求項１から請求項５までのいずれか一つに記載の水槽であって、
前記多孔板は、前記底板と面一に配置されていること
を特徴とする。
【請求項７】
請求項１から請求項６までのいずれか一つに記載の水槽であって、
前記第１壁板の外側に離れて平行に位置する第１外板と、前記第２壁板の外側に離れて平行に位置する第２外板と、前記第３壁板の外側に離れて平行に位置する第３外板と、前記第４壁板の外側に離れて平行に位置する第４外板と、を相互に連結し前記底板に連結した外側水槽を備え、
前記第１壁板、前記第２壁板、前記第３壁板および前記第４壁板が構成する内側水槽の上端部と、前記外側水槽の上端部とを連結する連結部を備えること
を特徴とする。
【請求項８】
請求項７に記載の水槽であって、
前記底板が載置された載置台と、前記外側水槽が形成する４つの角部のそれぞれを隠して前記載置台に載置された遮蔽枠と、を備えること
を特徴とする。
【発明の詳細な説明】
【技術分野】
【０００１】
本発明は、緩やかな循環水流を生じやすい水槽に関する。
【背景技術】
【０００２】
プランクトン類を始めとする遊泳力の弱い浮遊生物（例えば、クリオネ、クラゲを含む水生生物。）は、観賞性があり、飼育対象とされることがある。しかし、浮遊性に対する水流の制御が難しく、飼育が困難である。
水流の制御の困難性に対処するため種々の水槽が提案されている（例えば、特許文献１参照）。特許文献１に記載された水槽は、水槽の中に給排水室が内蔵されている。このため、観賞面が制限されている。
【先行技術文献】
【特許文献】
【０００３】
【特許文献１】特開２００５−２５３３８２号公報
【発明の概要】
【発明が解決しようとする課題】
【０００４】
特許文献１に記載された水槽は、給排水室が第３縦壁全体に沿って配置されていることから観賞面が制限されるという課題があった。
本発明はこのような状況に鑑みてなされたものであり、緩やかな循環水流を生成しやすくして浮遊生物の浮遊性および安全性を確保し、浮遊生物を観賞しやすく、浮遊生物の生存期間を長期化しやすい水槽を提供することを目的とする。
【課題を解決するための手段】
【０００５】
本発明に係る水槽は、底板と、前記底板に対して垂直に連結された第１壁板と、前記底板に対して垂直に連結され前記第１壁板から離れて向き合う第２壁板と、前記底板に対して垂直に連結され前記第１壁板及び前記第２壁板を連結する第３壁板と、前記底板に対して垂直に連結され前記第１壁板及び前記第２壁板を連結して前記第３壁板から離れて向き合う第４壁板と、を備える水槽であって、前記第１壁板、前記第３壁板、および前記第４壁板に隣接して前記底板に沿って配置され、前記底板に沿って前記第２壁板に向う底側水流を生じる水流生成部と、前記底板に沿って前記水流生成部に対して前記第２壁板の側に配置され、前記底側水流と交差して前記底板の裏側へ排出される排出水流を生じる排水部と、前記水流生成部の上面、前記第３壁板、前記第４壁板、および前記第１壁板に隣接して配置され、水面の方から流れてくる下降水流を前記第２壁板に向けて前記底側水流に沿う回帰水流を生じる第１傾斜部と、を備え、前記水流生成部は、前記排水部を経て再生された再生水を前記裏側から導入して貯留する貯留室と、前記第３壁板および前記第４壁板と垂直に配置され、前記貯留室の水を吐出して前記底側水流を生じる複数の吐出口が配置された吐出部と、を有し、前記排水部は、前記底板と交差する方向に前記排出水流を生じる排水口が網目状に配置された多孔板と、前記多孔板を通過した水をろ過するフィルターマットと、を有することを特徴とする。
【０００６】
したがって、本発明に係る水槽においては、水流生成部は、第１壁板に隣接して底板に沿って配置され、吐出口から第２壁板に向けて底板に沿う底側水流を吐出する。つまり、水流生成部は、第１壁板に接した位置から第２壁板に向けて底板に沿う一方向の底側水流を生じる。
排水部は、底板に沿って水流生成部の前方に配置され、底板と交差する方向に排出水流を生じる排水口が網目状に配置された多孔板を有する。つまり、排水部は、底側水流と交差する方向で排出される排出水流を生じる。
また、第１傾斜部は、底側水流に沿う回帰水流を生じる。さらに、第２壁板は、底側水流および回帰水流が継続して供給されるので、水面の方へ向く上昇水流を生じる。また、水面の側では、第２壁板から第１壁板に向かう緩やかな水面側水流が生じる。
水槽の外側へ排出される排出水流は、底側水流および回帰水流と交差するので、排水口への流れが抑制される。このため、浮遊生物は、排出水流によって流されたとき、排水口に到達する前に底側水流または回帰水流によって第２壁板の方へ流されやすくなる。また、底側水流および回帰水流は、排出水流と交差するので第２壁板への流れが抑制され、循環水流は、より緩やかな流れになる。
底側水流、上昇水流、水面側水流、下降水流、回帰水流は水槽内を一方向に循環する循環水流を構成し、底板の側での水の滞留を抑制しやすくなる。
したがって、本発明に係る水槽は、直方体の水槽でありながら底板の近くでの水の滞留を抑制して上昇水流を含む円運動に似た循環水流を形成するので浮遊生物が底板の近くに沈む状態を解消しやすい。また、水槽は、底側水流と回帰水流で排出水流を抑制する。すなわち、水槽は、より緩やかな循環水流を発生して上昇水流を浮遊生物に作用させる。
したがって、水槽は、浮遊生物が排水口に吸われて損傷することを抑制し、上昇水流によって浮遊生物を水面側に上昇させるので、浮遊生物が安全に浮遊しやすくなる。
つまり、本発明に係る水槽は、観賞面を広くした直方体でありながら、一方向に回る円運動に似た緩やかな循環水流を生成しやすくし、浮遊生物の浮遊性および安全性を確保する。したがって、本発明に係る水槽は、浮遊生物を観賞しやすくし、浮遊生物の飼育期間を長期化しやすいという効果を奏する。
【０００７】
また、本発明の一実施態様に係る水槽では、前記底板、前記第２壁板、前記第３壁板、および前記第４壁板に隣接して配置され、前記底側水流および前記回帰水流を前記水面の方に向けて上昇水流を生じる第２傾斜部を備える。
また、本発明の一実施態様に係る水槽では、前記第１傾斜部の前記底板に対する傾斜角と、前記第２傾斜部の前記底板に対する傾斜角とは等しい。
また、本発明の一実施態様に係る水槽では、前記貯留室は、前記第３壁板と前記第４壁板との間を長さ方向とする直方体である。
また、本発明の一実施態様に係る水槽では、前記排水部は、前記底板が有する凹部に配置されている。
また、本発明の一実施態様に係る水槽では、前記多孔板は、前記底板と面一に配置されている。
また、本発明の一実施態様に係る水槽では、前記第１壁板の外側に離れて平行に位置する第１外板と、前記第２壁板の外側に離れて平行に位置する第２外板と、前記第３壁板の外側に離れて平行に位置する第３外板と、前記第４壁板の外側に離れて平行に位置する第４外板と、を相互に連結し前記底板に連結した外側水槽を備え、前記第１壁板、前記第２壁板、前記第３壁板および前記第４壁板が構成する内側水槽の上端部と、前記外側水槽の上端部とを連結する連結部を備える。
本発明の一実施態様に係る水槽においては、内側水槽と外側水槽との間に形成された空気層は、内側水槽の上端部と外側水槽の上端部とを連結する連結部によって、外気からの通気を遮断される。したがって、内側水槽の表面に生じる結露、および外側水槽の表面に生じる結露を抑制できる。このため、低水温で飼育される浮遊生物の観賞がしやすくなる。
また、本発明の一実施態様に係る水槽では、前記底板が載置された載置台と、前記外側水槽が形成する４つの角部のそれぞれを隠して前記載置台に載置された遮蔽枠と、を備える。
【発明の効果】
【０００８】
本発明に係る水槽は、直方体でありながら、円運動に似た緩やかな循環水流を生成しやすくし、浮遊生物の浮遊性および安全性を確保する。したがって、本水槽は、浮遊生物を観賞しやすくし、浮遊生物の飼育期間を長期化しやすいという効果を奏する。
【図面の簡単な説明】
【０００９】
【図１】本発明の実施の形態１に係る水槽を上方から見た状態で示す平面図である。
【図２】図１に示した水槽を図１の矢印Ｆ２−Ｆ２で切断した状態で示す断面図である。
【図３】図２に示した水槽の吐出部の吐出口の配置状態を正面から見て示す正面図である。
【図４】本発明の実施の形態２に係る水槽を側面から見て示す側面図である。
【図５】図４に示した水槽を図４の矢印Ｆ５−Ｆ５で切断した状態で示す断面図である。
【図６】本発明の実施の形態３に係る水槽における空気層を外部から遮断する連結部（変形例）を示す部分断面図である。
【図７】本発明の実施の形態３に係る水槽における第１傾斜部の配置の変形例を示す部分断面図である。
【発明を実施するための形態】
【００１０】
以下、本発明の実施の形態について図面を参照して説明する。
［実施の形態１］
図１ないし図３を参照して、本実施の形態に係る水槽１について説明する。
図１は、本発明の実施の形態１に係る水槽１を上方から見た状態で示す平面図である。なお、上方から見た状態であるが天板１０を除いた状態で示す。
図２は、図１に示した水槽１を図１の矢印Ｆ２−Ｆ２で切断した状態で示す断面図である。
【００１１】
水槽１は、底板３と、底板３に対して垂直に連結された第１壁板４と、底板３に対して垂直に連結され第１壁板４から離れて向き合う第２壁板５と、底板３に対して垂直に連結され第１壁板４及び第２壁板５を連結する第３壁板６と、底板３に対して垂直に連結され第１壁板４及び第２壁板５を連結して第３壁板６から離れて向き合う第４壁板７と、を備える。つまり、第１壁板４、第２壁板５、第３壁板６、および第４壁板７は、内側水槽１ｆを形成する。
水槽１は、第１壁板４、第３壁板６、および第４壁板７に隣接して底板３に沿って配置され、底板３に沿って第２壁板５に向う底側水流ＦＬを生じる水流生成部１１と、底板３に沿って水流生成部１１に対して第２壁板５の側に配置され、底側水流ＦＬと交差して底板３の裏側へ排出される排出水流ＦＥを生じる排水部２０と、を備える。
なお、本願において「隣接」とは、完全に密着した状態から循環水流ＦＣへの影響が生じない程度で多少の隙間を有するまでの状態を含むことを意味する。
水槽１は、水流生成部１１の上面１１ｓ、第３壁板６、第４壁板７、および第１壁板４に隣接して配置され、水面ＷＦの方から流れてくる下降水流ＦＤを第２壁板５に向けて底側水流ＦＬに沿う回帰水流ＦＲを生じる第１傾斜部８を備える。
さらに、第２壁板５は、底側水流ＦＬおよび回帰水流ＦＲが継続して供給されるので、水面ＷＦの方へ向く上昇水流ＦＵを生じる。
底板３、第２壁板５、第３壁板６、および第４壁板７に隣接して配置され、底側水流ＦＬおよび回帰水流ＦＲを水面ＷＦの方に向けて上昇水流ＦＵを生じる第２傾斜部９をさらに備えても良い。第２傾斜部９は、上昇水流ＦＵをさらに効果的に生じる。
水流生成部１１は、排水部２０を経て再生された再生水Ｗｃを裏側から導入して貯留する貯留室１２と、第３壁板６および第４壁板７と垂直に配置され、貯留室１２の水を吐出して底側水流ＦＬを生じる複数の吐出口１３が配置された吐出部１４と、を有し、排水部２０は、底板３と交差する方向に排出水流ＦＥを生じる排水口２２が網目状に配置された多孔板２１と、多孔板２１を通過した水をろ過するフィルターマット２３と、を有する。
【００１２】
水流生成部１１は、第１壁板４に接して底板３に沿って配置され、吐出口１３から第２壁板５に向けて底板３に沿う底側水流ＦＬを吐出する。つまり、水流生成部１１は、第１壁板４に接した位置から第２壁板５に向けて底板３に沿う方向の底側水流ＦＬを生じる。なお、吐出部１４は、底板３に対して垂直に配置され、吐出口１３は、底板３に平行に配置されることが好ましい。
排水部２０は、底板３に沿って水流生成部１１の前方に配置され、底板３と交差する方向に排出水流ＦＥを生じる排水口２２が網目状に配置された多孔板２１を有する。つまり、排水部２０は、底側水流ＦＬと交差する方向で排出される排出水流ＦＥを生じる。
また、第１傾斜部８は、底側水流ＦＬに沿う回帰水流ＦＲを生じる。さらに、第２傾斜部９は、底側水流ＦＬおよび回帰水流ＦＲを水面ＷＦの方へ向けて上昇水流ＦＵを生じる。また、水面ＷＦの側では、第２壁板５から第１壁板４に向かう緩やかな水面側水流ＦＷが生じる。
貯留室１２は、第３壁板６と第４壁板７との間を長さ方向とする直方体であることが好ましい。このとき、吐出部１４は、両端を第３壁板６および第４壁板７に隣接した板状として貯留室１２と一体とされている。また、吐出部１４は、底側水流ＦＬの方向へ半円状に突出させた半円筒状であっても良い。
なお、貯留室１２は、変形例として例えば円筒状としても良い。この場合の吐出部１４および吐出口１３は、円筒の側面に位置する。また、吐出口１３は、筒状として突出させても良い。
【００１３】
水槽１の外側へ排出される排出水流ＦＥは、底側水流ＦＬおよび回帰水流ＦＲと交差するので、排水口２２への流れが抑制される。このため、浮遊生物は、排出水流ＦＥによって流されたとき、排水口２２に到達する前に底側水流ＦＬまたは回帰水流ＦＲによって第２傾斜部９の方へ流されやすくなる。また、底側水流ＦＬおよび回帰水流ＦＲは、排出水流ＦＥと交差するので第２壁板５への流れが抑制され、循環水流ＦＣは、より緩やかな流れになる。
底側水流ＦＬ、上昇水流ＦＵ、水面側水流ＦＷ、下降水流ＦＤ、回帰水流ＦＲは水槽１内を一方向に循環する循環水流ＦＣを構成し、底板３の側での水の滞留を抑制しやすくなる。
【００１４】
したがって、水槽１は、直方体の水槽１でありながら底板３の近くでの循環水流ＦＣの滞留を抑制して上昇水流ＦＵを含む循環水流ＦＣを形成するので浮遊生物が底板３の近くに沈む状態を解消しやすい。また、水槽１は、底側水流ＦＬと回帰水流ＦＲで排出水流ＦＥを抑制する。すなわち、水槽１は、より緩やかな循環水流ＦＣを発生して上昇水流ＦＵを浮遊生物に作用させる。
したがって、水槽１は、浮遊生物を底側水流ＦＬの水圧で排水口２２の位置を通過させて第２傾斜部９の方へ押し流し、浮遊生物が排水口２２に吸われて損傷することを抑制し、上昇水流ＦＵによって浮遊生物を水面側に上昇させるので、浮遊生物が安全に浮遊しやすくなる。
つまり、水槽１は、直方体でありながら、緩やかな循環水流ＦＣを生成しやすくし、浮遊生物の浮遊性および安全性を確保する。したがって、水槽１は、浮遊生物を観賞しやすくし、浮遊生物の飼育期間を長期化しやすいという効果を奏する。
水槽１は、直方体の側面に向かう４方向からの観賞（第１観賞方向ＳＶ１、第２観方向ＳＶ２、第３観賞方向ＳＶ３、第４観賞方向ＳＶ４）に対し、平らでひずみの無い観賞面が配置されるので、浮遊生物をありのままの形態で観察できる。したがって、水槽１は、浮遊生物を効果的に展示できる。
【００１５】
排水部２０は、底板３が有する凹部３ｃに配置されている。この構成によって、排水部２０は、底板３の表面を平坦化できるので、底側水流ＦＬの流れの安定性を維持しやすくなる。凹部３ｃは、底板３の裏側に取り付けた例えば箱形で形成される。
排水部２０は、排水路２５へ接続される。排水路２５は、底板３の裏側へ収容されるので観賞領域に露出することはない。したがって、観賞領域は、高い美観性、観賞性および浮遊生物の安全性を維持する。
多孔板２１およびフィルターマット２３の下層には、排水口２２より直径の大きい排水調整口２４ｍを有する排水調整板２４が配置されている。排水調整口２４ｍは、フィルターマット２３と排水路２５との間での流路を確保する。
【００１６】
多孔板２１は、底板３と面一に配置されている。多孔板２１は、底板３と面一であるので、底側水流ＦＬの乱れを抑制して循環水流ＦＣをさらに安定化できる。
排水口２２の直径は、例えば約１ｍｍ（ミリメートル）である。排水口２２の行方向の配列ピッチ（排水口２２の中心と排水口２２の中心との距離）は、例えば約１．５ｍｍである。つまり、排水口２２と排水口２２との間のスペース（板本体部分）は、約０．５ｍｍである。１行目（奇数行）と２行目（偶数行）は排水口２２の中心をずらしてある。つまり、１行目のスペースの中心位置に２行目の排水口２２の中心が位置する。１行目の隣り合う２個の排水口２２が有する２つの中心と、２行目の排水口２２が有する中心とを結ぶ直線は正三角形を構成する。したがって、１行目と２行目との間の配列ピッチ（１行目の排水口２２の中心と２行目の排水口２２の中心との最短距離）は１．５ｍｍより小さく約１．３ｍｍとなる。排水口２２は、全体として奇数行の排水口２２と偶数行の排水口２２とが交互に位置をずらした縦横に存在する。
なお、排水口２２の上記した寸法は例示に過ぎない。実際に飼育する浮遊生物の大きさによって好ましい値は異なる。また、図１における排水口２２は、図面の見やすさと理解の容易さを考慮して、拡大して示される。
【００１７】
第１傾斜部８および第２傾斜部９は、板状である。これにより、第１傾斜部８および第２傾斜部９の構造を簡略化できるので、回帰水流ＦＲにおける方向変換、上昇水流ＦＵにおける方向変換を容易に実現できる。
なお、第１傾斜部８、第２傾斜部９の形状は、図示したとおりの単一の平面状でも良いが、図示した方向での断面が例えばＶ字型となる２枚の平面で形成されても良い。一方の平面が水流生成部１１の上面１１ｓに配置され、他方の平面が第１傾斜部８を形成する構成でも良い。第２傾斜部９についても同様に例えばＶ字型となる平面で形成されても良い。また、第１傾斜部８、第２傾斜部９の形状は、平面状として示したが、循環水流ＦＣに沿うように上方に凹状とされた湾曲板でも良い。
第１傾斜部８が水流生成部１１と第１壁板４に当接する上端８ｔとの間に有する高さＨｓ１は、第２傾斜部９が底板３と第２壁板５に当接する上端９ｔとの間に有する高さＨｓ２と等しくても良く、また、異なっていても良い。
なお、傾斜角θ１、傾斜角θ２は、底板３からの鋭角で規定される。本実施の形態では、傾斜角θ１、傾斜角θ２は、例えば４５度に設定できる。４５度の角度によって、下降水流ＦＤ、回帰水流ＦＲ、底側水流ＦＬ、および上昇水流ＦＵの間の均衡が取られるので、循環水流ＦＣは、均衡のとれた緩やかな流れとなる。
傾斜角θ１、傾斜角θ２は、４５度より大きい場合は、横方向の水流に比べて下降、上昇の水流が相対的に強くなり、４５度より小さい場合は、横方向の水流に比べて下降、上昇の水流が相対的に弱くなる。必要に応じて適宜の値が設定される。
【００１８】
水槽１は、内側水槽１ｆと、内側水槽１ｆの外側に配置された外側水槽１ｓとを備える。
外側水槽１ｓは、第１壁板４の外側に離れて平行に位置する第１外板３０と、第２壁板５の外側に離れて平行に位置する第２外板３１と、第３壁板６の外側に離れて平行に位置する第３外板３２と、第４壁板７の外側に離れて平行に位置する第４外板３３と、を備え、第１外板３０、第２外板３１、第３外板３２、および第４外板３３は、相互に連結され底板３に連結されている。
水槽１は、第１壁板４、第２壁板５、第３壁板６および第４壁板７が構成する内側水槽１ｆの上端部３６と、外側水槽１ｓの上端部３７とを連結する連結部３８を備える。
内側水槽１ｆと外側水槽１ｓとの間に形成された空気層３５は、内側水槽１ｆの上端部３６と外側水槽１ｓの上端部３７とを連結する連結部３８によって、外気からの通気を遮断される。したがって、内側水槽１ｆの表面に生じる結露、および外側水槽１ｓの表面に生じる結露を抑制できる。このため、飼育される浮遊生物の観賞がしやすくなる。特に低水温で飼育する場合には有効である。
【００１９】
第１壁板４、第２壁板５、第３壁板６、および第４壁板７の上端部３６、第１外板３０、第２外板３１、第３外板３２、および第４外板３３の上端部３７には、天板１０が配置されることが好ましい。天板１０は、水面ＷＦの上方に配置されることが好ましい。
第１壁板４〜第４壁板７は、透明なアクリル樹脂製の板（以下、アクリル板）であることが好ましい。アクリル板は、透光性を確保できること、ガラスに比較して軽いことから使用しやすい。また、ガラスに比べて熱伝導率が低いことから外気温の影響を受けにくく温度管理がしやすい。
フィルターマット２３は、排出水流ＦＥの流速を抑えて浮遊生物への排水水流ＦＥの影響を抑制し、排出水流ＦＥと循環水流ＦＣとのバランスを取りやすくする。
外側水槽１ｓを形成する第１外板３０〜第４外板３３は、内側水槽１ｆを形成する第１壁板４〜第４壁板７と同様、透明なアクリル板であることが好ましい。第１壁板４〜第４壁板７、第１外板３０〜第４外板３３、底板３の板厚は、例えば１０ｍｍ程度である。なお、底板３は、例えば塩化ビニール板、あるいはアクリル板である。
連結部３８は、内側水槽１ｆの上端部３６と外側水槽１ｓの上端部３７との間に例えば樹脂で封止して連結する。
【００２０】
第３壁板６および第４壁板７は、正面視での横幅Ｗｂに比べて高さＨｂが大きいことが好ましい。これにより、上昇水流ＦＵは、長い距離を確保できるので、浮遊状態を高い範囲まで広げることができる。このため、水槽１は、浮遊生物の浮遊状態の観賞性を向上できる。
【００２１】
排水部２０に連結した排水路２５と、排水路２５に連結して再生水Ｗｃを循環させるポンプ２６と、ポンプ２６からの再生水Ｗｃを送り出す送水路２７と、送水路２７からの再生水Ｗｃの水温を調整する水温調整部２８と、水温調整部２８からの再生水Ｗｃを水流生成部１１に供給する給水路２９とは、底板３の下部に配置される。つまり、底板３の下部は、排水部２０を介して取り出され、再び貯留室１２へ戻される再生水Ｗｃを効率的に循環できる。
なお、本実施の形態では、底板３は、理解の容易さを考慮して、外側水槽１ｓの外側へ配置された状態で示したが、底板３の外周は、外側水槽１ｓの外周に合せても良い。
【００２２】
図３は、図２に示した水槽の吐出部１４の吐出口１３の配置状態を正面から見て示す正面図である。
吐出口１３は、吐出部１４において底板３と平行な位置に直線状に配置されている。これにより、底側水流ＦＬは、第３壁板６から第４壁板７までにわたって幅広く底板３と平行に安定して生じるので、循環水流ＦＣは、乱れの少ない一方向の水流となる。
吐出口１３は、直線状にかつ間欠的に均等に配置される。図３では、１行配列としたが、１行に限らず複数行の配置も可能である。吐出口１３の直径、配列ピッチｐｓ、配置行数、吐出部１４の高さＨｄは、内側水槽１ｆの水量、循環水流ＦＣの循環速度、排出水流ＦＥの速度などを参酌して適宜設定される。
【００２３】
［実施の形態２］
図４および図５を参照して、本実施の形態に係る水槽１について説明する。水槽１（本体）は、実施の形態１と同様であるので、重複する説明は省略する。本実施の形態では、水槽１に対して付加的な装置を配置した場合について説明する。
図４は、本発明の実施の形態２に係る水槽１を側面から見て示す側面図である。
図５は、図４に示した水槽１を図４の矢印Ｆ５−Ｆ５で切断した状態で示す断面図である。なお、内側水槽１ｆの内部構造については、実施の形態１と同様であり、理解の容易さ、見やすさを考慮して図示を省略する。
水槽１は、載置台４０の上に載置されることが好ましい。すなわち、水槽１は、底板３が載置された載置台４０と、外側水槽１ｓの４つの角部３４のそれぞれを隠して載置台４０に載置された遮蔽枠４１と、を備えることが好ましい。
外側水槽１ｓの４つの角部３４を隠す遮蔽枠４１は、水槽１の観賞面（例えば、第３壁板６）を矩形に画定して観賞対象である浮遊生物を見やすくするので、浮遊生物の観賞が容易となる。また、底板３は、載置台４０に載置されるので水槽１の配置が安定する。載置台４０の高さＨｍは、観賞しやすい適切な観賞面を得るように設定されるので観賞のしやすさが向上する。
遮蔽枠４１は、角部３４に対応して配置され、水平方向の断面がＬ型の４本の枠柱４２と、枠柱４２の頂部４２ｔを互いに連結する上連結板４３と、枠柱４２の脚部４２ｆを互いに連結する下連結板４４と、を備える。
遮蔽枠４１は、４本の枠柱４２を上連結板４３および下連結板４４で連結するので、取り扱いを容易にし、観賞に不要な部分を遮蔽することで、観賞面の美観を向上する。
【００２４】
水槽１は、第１壁板４、第２壁板５、第３壁板６および第４壁板７の上に配置され水面を覆う天板１０に加えて、天板１０の上に配置された照明器具４６を備えることが好ましい。
照明器具４６は、浮遊生物の観察に必要な明るさと色合いを確保するので、水槽１は、浮遊生物の観賞に際しての美観と視認性を向上させる。照明器具４６は、例えばＬＥＤ（発光ダイオード）であり、青、赤、白などを発光できる。
照明器具４６へ電力を供給する電線（不図示）は、遮蔽枠４１の枠柱４２と角部３４との間に沿わせて、載置台４０の内側へ導くことができるので、外部から見えない形態とされ、美観を確保できる。また、照明器具４６に対する電力の供給は、天板１０の上に電池を配置して行うこともできる。
なお、載置台４０の内側にはポンプ２６、水温調整部２８、および照明器具４６に対する制御を行う制御部４７（配線省略）が配置されている。
【００２５】
上記したとおり、載置台４０は、排水部２０に連結した排水路２５と、排水路２５に連結して再生水Ｗｃを循環させるポンプ２６と、ポンプ２６からの再生水Ｗｃを送り出す送水路２７と、送水路２７からの再生水Ｗｃの水温を調整する水温調整部２８と、水温調整部２８からの再生水Ｗｃを水流生成部１１に供給する給水路２９とを収容していることが好ましい。
水槽１は、排水路２５、ポンプ２６、送水路２７、水温調整部２８および給水路２９を底板３が載置された載置台４０の内側に収容しているので、外観を簡潔化でき、載置台４０の上側全体を観賞用の領域とし、観察者が見やすい形態を演出する。
水温調整部２８は、冷水が必要な場合は再生水Ｗｃを冷却する冷却器として機能する。水温調整部２８による水温調整によって必要な水温の水を生成できる。例えば冷海水で生存するクリオネを飼育する場合は、水温は０〜５℃程度に調整される。
【００２６】
第３外板３２または第４外板３３のいずれか一方は観賞面であり、他方は遮蔽枠４１との間に表示物ＤＩＳ（不図示）が配置された情報表示面とすることができる。
この場合、表示物ＤＩＳは、第３外板３２または第４外板３３のいずれか一方の外側と遮蔽枠４１との間に配置されるので、簡単な構造で必要な情報を発信できる。表示物ＤＩＳは、例えば、広告媒体、浮遊生物を観賞する上での注意事項等を表示できる。水槽１を壁面の近くに配置した場合等に有効に作用する。
【００２７】
［実施の形態３］
図６および図７を参照して、本実施の形態に係る水槽１について説明する。本実施の形態では、連結部３８に対する変形例としての連結部３９、水流生成部１１の上面１１ｓでの第１傾斜部８の配置に関する変形例について説明する。これらは、他の実施の形態に対して組み合わせても良く、本実施の形態において組み合わせても良い。
図６は、本発明の実施の形態３に係る水槽１における空気層３５を外部から遮断する連結部３９（連結部３８に対する変形例）を示す部分断面図である。
連結部３９は、内側水槽１ｆの上端部３６と、外側水槽１ｓの上端部３７との間を橋渡しされても良い。これにより、空気層３５は外部との外気から遮断される。つまり、連結部３９は、連結部３８とは構成が異なるが、内側水槽１ｆにおける結露を抑制しやすいという連結部３８と同様な作用が生じる。
図７は、本発明の実施の形態３に係る水槽１における第１傾斜部８の配置の変形例を示す部分断面図である。
第１傾斜部８は、水流生成部１１の上面１１ｓにおける配置を変更して、水流生成部１１の先端に位置する吐出部１４の側に吐出位置調整部１５を配置しても良い。吐出位置調整部１５は、上面１１ｓが平坦であることから回帰水流ＦＲの横向きの度合いを高めることができる。
【産業上の利用可能性】
【００２８】
本発明は、緩やかな循環水流を生成して浮遊生物を飼育するのに適した水槽を提供するので、飼育が困難な浮遊生物に対する水槽の製造に利用できる。
【符号の説明】
【００２９】
１：水槽、１ｆ：内側水槽、１ｓ：外側水槽、３：底板、３ｃ：凹部、４：第１壁板、
５：第２壁板、６：第３壁板、７：第４壁板、８：第１傾斜部、８ｔ：上端、
９：第２傾斜部、９ｔ：上端、１０：天板、１１：水流生成部、１１ｓ：上面、
１２：貯留室、１３：吐出口、１４：吐出部、１５：吐出位置調整部、２０：排水部、
２１：多孔板、２２：排水口、２３：フィルターマット、２４：排水調整板、
２４ｍ：排水調整口、２５：排水路、２６：ポンプ、２７：送水路、２８：水温調整部、２９：給水路、３０：第１外板、３１：第２外板、３２：第３外板、３３：第４外板、
３４：角部、３５：空気層、３６，３７：上端部、３８，３９：連結部、４０：載置台、４１：遮蔽枠、４２：枠柱、４２ｔ：頂部、４２ｆ：脚部、４３：上連結板、
４４：下連結板、４６：照明器具、４７：制御部、
ＦＣ：循環水流、ＦＤ：下降水流、ＦＥ：排出水流、ＦＬ：底側水流、
ＦＲ：回帰水流、ＦＵ：上昇水流、ＦＷ：水面側水流、
Ｈｂ，Ｈｄ，Ｈｍ，Ｈｓ１，Ｈｓ２：高さ、ｐｓ：配列ピッチ、ＳＶ１：第１観賞方向、
ＳＶ２：第２観賞方向、ＳＶ３：第３観賞方向、ＳＶ４：第４観賞方向、Ｗｂ：横幅、
Ｗｃ：再生水、ＷＦ：水面、θ１，θ２：傾斜角
【図１】
2018038374.tif 000003
【図２】
2018038374.tif 000004
【図３】
2018038374.tif 000005
【図４】
2018038374.tif 000006
【図５】
2018038374.tif 000007
【図６】
2018038374.tif 000008
【図７】
2018038374.tif 000009